(57)【要約】  【課題】引出し装置を備えた冷蔵庫に関し、ガタツキの少ない高品位かつ荷重を加えても操作力の小さい使い勝手の良い引出しを有する冷蔵庫を提供することを目的とする。  【解決手段】レール部材３１は固定レール３１ａと、移動レール３１ｂと、固定レール３１ａと移動レール３１ｂとの間に備えられた中間走行レール３１ｃと、回転支持部材である複数のベアリング３１ｄとからなり、固定レール３１ａと移動レール３１ｂと中間走行レール３１ｃとベアリング３１ｄとを予め組み込んだ状態で固定レール３１ａを内箱２０の両側壁面に固定し、移動レール３１ｂを引出し扉２９の位置規制手段としての凸部３４ａを介して扉補強板３６に固定したので、滑らかに移動レール３１ｂが移動でき、引出しの操作力を低減することができる。これにより冷蔵庫の使い勝手の向上を図ることができる。【選択図】図２
2005300032.tif 000002
【特許請求の範囲】
【請求項１】
内箱と、外箱と、前記内箱と外箱間に充填した発泡断熱材とよりなる前面開口部を有する断熱箱体を備えた冷蔵庫において、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込み、位置規制手段を設けた引出し扉内板に扉補強板を固着し、前記扉補強板に前記レール部材を固定したことを特徴とする冷蔵庫。
【請求項２】
引出し扉は扉外板と扉内板との間に発泡断熱材を充填したものであり、扉補強板を前記扉内板の内側に取り付け、発泡断熱材の中に埋没させたことを特徴とする請求項１に記載の冷蔵庫。
【請求項３】
扉補強板を一枚の板形状とし、左右レールを共に前記扉補強板を取り付けた引出し扉内板に固着したことを特徴とする請求項２に記載の冷蔵庫。
【請求項４】
扉補強板を二枚の板形状とし、左右レールをそれぞれに対向する前記扉補強板を取り付けた引出し扉内板に固着したことを特徴とする請求項２に記載の冷蔵庫。
【請求項５】
扉補強板の形状を断面略コの字型としたことを特徴とする請求項３または４に記載の冷蔵庫。
【請求項６】
レール部材の固定レールと移動レールとの間に中間走行レールを備え、前記中間走行レールと前記固定レールおよび移動レールとの係合を回転支持部材で支持し、前記回転支持部材で前記移動レールを前後に摺動可能としたことを特徴とする請求項１から５のいずれか一項に記載の冷蔵庫。
【請求項７】
レール部材の移動レールに扉支持部材を取り付け、位置規制手段を設けた扉内板に前記扉支持部材を固定することを特徴とする請求項１から６のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図７は、従来の冷蔵庫の引出し式扉の斜視図である。図８は従来の冷蔵庫の引出し装置の要部断面図である。図９は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラー３と、内箱側壁４に固定，取付けられた前記フレーム２と可動ローラー３を摺動支持する固定レール５と固定ローラー６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラー３を、冷蔵庫本体側にあらかじめ取り付けた固定レール５の溝部１２に挿入し、フレーム２の底面と固定ローラー６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラー３が、固定レール５と固定ローラー６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラー間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、内箱と、外箱と、前記内箱と外箱間に充填した発泡断熱材とよりなる前面開口部を有する断熱箱体を備えた冷蔵庫において、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込み、位置規制手段を設けた引出し扉内板に扉補強板を固着し、前記扉補強板に前記レール部材を固定したものである。
【００１０】
これによって、固定レールと移動レールとのクリアランスを小さくすることができ、ガタの少ない高品位な引出しを構成することができるとともに、レール部材の操作性の向上を図ることができる。
【発明の効果】
【００１１】
本発明の冷蔵庫は、ガタが小さく、容器に荷重を加えた場合でも滑らかに引出しを開閉することができ、高品位で使い勝手の良い引出し収納を構成することができる。
【発明を実施するための最良の形態】
【００１２】
請求項１に記載の発明は、内箱と、外箱と、前記内箱と外箱間に充填した発泡断熱材とよりなる前面開口部を有する断熱箱体を備えた冷蔵庫において、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込み、位置規制手段を設けた引出し扉内板に扉補強板を固着し、前記扉補強板に前記レール部材を固定したものであり、固定レールと移動レールとのクリアランスを小さくすることができ、ガタの少ない高品位な引出しを構成することができるとともに、レール部材の操作性の向上を図ることができ、使い勝手の良い引出し収納を構成することができる。
【００１３】
請求項２に記載の発明は、請求項１に記載の発明において、引出し扉は扉外板と扉内板との間に発泡断熱材を充填したものであり、扉補強板を前記扉内板の内側に取り付け、発泡断熱材の中に埋没させたものであり、冷蔵庫使用時に前記扉補強板の結露，着霜の防止を図ることができ、更に空気と接することが無いので扉補強板の耐食性を向上させることができる。
【００１４】
請求項３に記載の発明は、請求項２に記載の発明において、扉補強板を一枚の板形状とし、左右レールを共に前記扉補強板を取り付けた引出し扉内板に固着したものであり、扉補強材の強度を高めることができ、長期にわたって操作信頼性を確保できる。
【００１５】
請求項４に記載の発明は、請求項２に記載の発明において、扉補強板を二枚の板形状とし、左右レールをそれぞれに対向する前記扉補強板を取り付けた引出し扉内板に固着したものであり、扉補強板のために必要となる材料を最小に抑制することができ、引出し扉を軽量化することができる。
【００１６】
請求項５に記載の発明は、請求項３または４に記載の発明において、扉補強板の形状を断面略コの字型としたものであり、発泡断熱材内に埋設する前記扉補強板が発泡断熱材と接する面が多くなり、扉補強板が発泡断熱材内によって固定され、扉補強板が板形状で形成された場合より、強度の確保を図ることができる。
【００１７】
請求項６に記載の発明は、請求項１から５のいずれか一項に記載の発明において、レール部材の固定レールと移動レールとの間に中間走行レールを備え、前記中間走行レールと前記固定レールおよび移動レールとの係合を回転支持部材で支持し、前記回転支持部材で前記移動レールを前後に摺動可能としたものであり、中間走行レールを備えることによりレール部材の引出し代の向上を図ることができるので容器の奥部まで引き出す事ができ、容器の奥部まで見渡すことが可能となるので容器収容物の使い忘れによるロスを防止したり、容器をレール部材に着脱することが容易となるので使い勝手の向上を図ることができる。また、中間走行レールを備えることで、レール部材の固定レールと移動レールとの間のクリアランスを最小限に設定することができる。
【００１８】
請求項７に記載の発明は、請求項１から６のいずれか一項に記載の発明において、レール部材の移動レールに扉支持部材を取り付け、位置規制手段を設けた扉内板に前記扉支持部材を固定するものであり、レール部材と引出し扉との組込が容易になる。
【００１９】
以下、本発明の実施の形態について、図面を参照しながら説明する。なお、この実施の形態によってこの発明が限定されるものではない。
【００２０】
（実施の形態１）
図１は本発明の実施の形態１における冷蔵庫の横断面図、図２は図１のＡ−Ａ断面図、図３は、同実施の形態の冷蔵庫の引出し扉の要部分解斜視図、図４は同実施の形態の冷蔵庫の要部分解斜視図、図５は同実施の形態の冷蔵庫のレール部材の分解組立図、図６は同実施の形態の冷蔵庫のレール部材の断面図である。
【００２１】
図１から図６において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２６、冷凍室２７を形成している。
【００２２】
また、仕切壁２６の両側面は開放部２６ａを有し、仕切壁２６内部には断熱箱体１９と同様に発泡断熱材２２が充填されている。
【００２３】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２４】
野菜室２７と冷凍室２８とはそれぞれ前面開口部２２ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２５】
レール部材３１は固定レール３１ａと、移動レール３１ｂと、固定レール３１ａと移動レール３１ｂとの間に備えられた中間走行レール３１ｃと、中間走行レール３１ｃと固定レール３１ａおよび移動レール３１ｂとの係合を支持する回転支持部材である複数のベアリング３１ｄとからなり、固定レール３１ａと移動レール３１ｂと中間走行レール３１ｃとベアリング３１ｄとを予め組み込んだ状態で固定レール３１ａを内箱２０の両側壁面に固定し、移動レール３１ｂをそれぞれの引出し扉２９に固定することでそれぞれの貯蔵室と引出し扉２９とを連結している。
【００２６】
ここで、引出し扉２９は引出し扉内板３４と引出し扉外板３５との間に発泡断熱材２２を充填したものであり、引出し扉内板３４には位置規制手段としての凸部３４ａを有し、内側（発泡断熱材２２側）にはレール部材３１取付時の強度を高めるための扉補強板３６を備えている。また、扉補強板３６は断面形状を略コの字型とし、左右のレール部材３１に対応して２枚独立して配置し、取付用のビス孔を設けている。
【００２７】
そして、レール部材３１の移動レール３１ｂに引出し扉２９を支持するための扉支持部材３７を有し、扉支持部材３７には位置決め孔３７ａおよび取付用ビス孔３７ｂを備えている。そして、発泡断熱材２２を充填発泡後、扉支持部材３７の位置決め孔３７ａに引出し扉内板３４の位置規制手段としての凸部３４ａを係合し、ビス孔３７ｂから引出し扉内板３４を介して扉補強板３６に取り付け固定される。その後、引出し扉２９と一体となった扉支持部材３７をレール部材３１の移動レール３１ｂに固定する。
【００２８】
なお、扉補強板３６は、引出し扉内板３４の発泡断熱材２２を充填した側に配置されるので扉補強板３６は各貯蔵室内に露出しない構造となっている。
【００２９】
また、固定レール３１ａと移動レール３１ｂと、固定レール３１ａと移動レール３１ｂとの間にベアリング３１ｄを介して配設した中間走行レール３１ｃとからなるレール部材３１は予め組み込んだものであり、それぞれのレール間のクリアランスを最小限に設定することができる。
【００３０】
更に内箱２０の両側壁面に固定された左右のレール部材３１は左右対称の形状を有し、左右共に備えることでより良い摺動性を発揮する。
【００３１】
各貯蔵室の容器３２は、レール部材３１を内箱２０に固定後にレール部材３１の移動レール３１ｂに固定した扉支持部材３７に支持し、各貯蔵室ドアを前後方向に引出すのと同期して移動レール３１ｂと共に前後に移動し、更に各貯蔵室ドアを少なくとも全開した時に容器３２は上方向に着脱自在となっている。
【００３２】
また、左右一対のレール部材３１の固定レール３１ａは位置規制手段である連結部材３３によってそれぞれ内箱２０を介して固定位置を規制される。
【００３３】
連結部材３３は水平部３３ａと、水平部３３ａの両端に垂直部３３ｂを有する断面Ｈ形状で水平部３３ａは仕切壁２６内部で上仕切壁２６ｂと下仕切壁２６ｃとにはさまれて固定され、垂直部３３ｂは仕切壁２６の開放部２６ａより仕切壁２６の外部に突出し、内箱２０の発泡断熱材２２を充填した側に配置されるので連結部材３３は各貯蔵室内に露出しない構造となっている。
【００３４】
また、垂直部３３ｂの両端はそれぞれ野菜室２７と冷凍室２８との上下方向の中心部付近まで達し、各貯蔵室内の左右のレール部材３１の固定レール３１ａは垂直部３３ｂの固定部３３ｃに固定され、少なくとも垂直部３３ｂの固定部３３ｃは内箱２３の発泡断熱材２２を充填した側の面に接している。更に左右の垂直部３３ｂには孔３３ｄを設けている。
【００３５】
なお、連結部材３３が大きくなる場合には前後に複数に分割し、それぞれに水平部３３ａと垂直部３３ｂと固定部３３ｃとを備え、必要に応じて孔３３ｄを設けると連結部材３３を一体とした場合と同様の効果が得られる。
【００３６】
また、ベアリング３１ｄは回転支持部材であればよく、たとえばローラー等を用いてもよい。
【００３７】
以上のように構成された冷蔵庫について、以下その動作、作用を説明する。
【００３８】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００３９】
それに伴い、レール部材３１に支持された容器３２も手前に引き出され、容器３２内に収納された被冷却物の取出し及び新たな被冷却物の収納が可能となる。
【００４０】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタの少ない高品位な引出しを構成することができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００４１】
また、引出し扉２９において、扉支持部材３７の位置決め孔３７ａに引出し扉内板３４の位置規制手段としての凸部３４ａを係合し、ビス孔３７ｂから引出し扉内板３４を介して扉補強板３６に取り付け、引出し扉２９と一体となった扉支持部材３７をレール部材３１の移動レール３１ｂに固定するので、移動レール３１ｂの左右の寸法精度が高まり、レール部材３１の操作性の向上を図ることができ、使い勝手が向上する。また、扉支持部材３７を設けているので、レール部材３１と引出し扉２９との組込が容易になる。
【００４２】
また、扉補強板３６は、引出し扉内板３４の発泡断熱材２２を充填した側に配置され、各貯蔵室内に露出しない構造としているので、冷蔵庫使用時に前記扉補強板の結露，着霜の防止を図ることができ、更に空気と接することが無いので扉補強板の耐食性を向上させることができる。
【００４３】
また、扉補強板３６は左右のレール部材３１に対応して２枚独立して配置しているので、材料の低減による低コスト化と引出し扉２９の軽量化が可能となる。
【００４４】
また、扉補強板３６は断面形状を略コの字型としているので、発泡断熱材内に埋設する前記扉補強板が発泡断熱材と接する面が多くなり、扉補強板が発泡断熱材内によって固定され、扉補強板が板形状で形成された場合より、強度の確保を図ることができる。
【００４５】
また、中間走行レール３１ｃを備えることによりレール部材３１の移動レール３１ｂの引出し代を大きくすることができるので容器３２の奥部まで引き出す事ができ、容器３２の奥部まで見渡すことが可能となり、容器３２内の被冷却物の使い忘れによるロスを防止したり、容器３２をレール部材３１に着脱することが容易となるので使い勝手の向上を図ることができる。
【００４６】
また、上下に隣り合った野菜室２７と冷凍室２８にそれぞれレール部材３１を備え、それぞれのレール部材３１の固定レール３１ａを連結部材３３で一体に固定したので、複数の貯蔵室の操作性を同時に高めることができる。
【００４７】
また、連結部材３３を両端に垂直部３３ｂを有する断面Ｈ形状とし、垂直部３３ｂに上下に隣り合った野菜室２７と冷凍室２８のレール部材３１の固定レール３１ａを一体に固定したので、一つの連結部材３３に複数のレール部材３１の固定レール３１ａを固定することにより部品点数の削減によるコストダウンを図ることができる。
【００４８】
なお、本実施の形態ではレール部材３１の移動レール３１ｂに引出し扉２９を支持するための扉支持部材３７を有したもので説明したが、扉支持部材３７を設けず、移動レール３１ｂの先端部に取付部を備え、寸法規制した引出し扉２９の凸部３４ａを係合し固定してもよい。
【００４９】
また、本実施の形態ではレール部材３１と容器３２とを野菜２７と冷凍室２８とで共通としたが、実使用の収納形態などによりそれぞれ貯蔵室別に違う材料で形成したものを使用するとさらにコスト低減、信頼性向上を図ることができる。
【００５０】
また、本実施の形態では、野菜室２７と冷凍室２８にレール部材３１を用いたもので説明したが、引出し容器を備えた貯蔵室に適宜適用できる。たとえば、野菜室２６の上部に位置する切替室２５や、切替室２５の横に併設した製氷室（図示せず）等に用いてもよい。
【００５１】
また、本実施の形態では、連結部材３３は水平部３３ａと、水平部３３ａの両端に垂直部３３ｂを有する断面Ｈ形状とし、野菜室２７と冷凍室２８のそれぞれのレール部材３１を一体に固定したもので説明したが、野菜室２７と冷凍室２８のそれぞれに両端に垂直部を有する断面コの字状の連結部材を用いてもよい。この場合、野菜室２７と冷凍室２８が上下に併設していない冷蔵庫において、それぞれガタツキの少ない高品位かつ荷重を加えても操作力の小さい使い勝手の良い引出しを提供することができる。また、複数のレール部材を一つの連結部材に固定した場合に比べ複数の貯蔵室の温度帯が異なる場合に更に連結部材からの熱伝達を抑制し、温度帯の高い貯蔵室側の結露の防止や熱リークによる消費電力の増加を抑制できる。
【００５２】
なお、左右の一対のレール部材の固定レールを複数の連結部材で連結してもよい。この場合、連結部材を複数に分割することにより連結部材の小型化を図れるのでコストダウン、軽量化を図ることができる。
【産業上の利用可能性】
【００５３】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００５４】
【図１】本発明の実施の形態１における冷蔵庫の横断面図
【図２】図１のＡ−Ａ断面図
【図３】同実施の形態の冷蔵庫の引出し扉の要部分解斜視図
【図４】同実施の形態の冷蔵庫の要部分解斜視図
【図５】同実施の形態の冷蔵庫のレール部材の分解組立図
【図６】同実施の形態の冷蔵庫のレール部材の断面図
【図７】従来の冷蔵庫の引出し式扉の斜視図
【図８】従来の冷蔵庫の引出し装置の要部断面図
【図９】従来の冷蔵庫の引出し装置の断面図
【符号の説明】
【００５５】
１８  冷蔵庫
１９  断熱箱体
１９ａ  前面開口部
２０  内箱
２１  外箱
２２  発泡断熱材
２９  引出し扉
３１  レール部材
３１ａ  固定レール
３１ｂ  移動レール
３１ｃ  中間走行レール
３１ｄ  ベアリング
３２  容器
３４  引出し扉内板
３４ａ  凸部
３５  引出し扉外板
３６  扉補強板
３７  扉支持部材
【図１】
2005300032.tif 000003
【図２】
2005300032.tif 000004
【図３】
2005300032.tif 000005
【図４】
2005300032.tif 000006
【図５】
2005300032.tif 000007
【図６】
2005300032.tif 000008
【図７】
2005300032.tif 000009
【図８】
2005300032.tif 000010
【図９】
2005300032.tif 000011